(57)【要約】【課題】ユーザにとって煩雑でなく、かつ、消費電力を抑制することができるデジタル放送受信方法及び装置を提供する。【解決手段】チューナ１は、デジタル放送の放送電波を受信する。記録保存部７は、ユーザ操作で指示されたＢＭＬデータの記録保存を制御する。更新制御部１１は、記録保存部７から読み出した属性情報を元に番組の放送の頻度情報を取得し、ＢＭＬデータの更新を指示する。更新情報保存部１２は、更新制御部１１にて指示するための更新情報を保持する。チューナ１は、デジタル放送の放送電波を受信し、デジタル放送のデータが、記録保存部７によって記録される。更新制御部１１は、記録保存部７に記録された属性情報に基づいて、記録したデータの更新情報を生成するとともに、更新情報に基づいて、データの更新を行う。【選択図】図１
2007202007.tif 000002
【特許請求の範囲】
【請求項１】
デジタル放送の放送電波を受信する受信ステップと、
前記デジタル放送のデータを記録する記録ステップと、
記録したデータに含まれる情報に基づいて、該記録したデータの更新情報を生成する更新情報生成ステップと、
該更新情報に基づいて、前記データの更新を行う更新ステップとを具えることを特徴とするデジタル放送受信方法。
【請求項２】
前記更新情報が、更新スケジュールと属性情報とをＩＤで関連付けた情報とし、前記属性情報が、コンテンツ識別子及びチャンネル周波数を有し、前記更新ステップは、前記更新スケジュールに基づいてデジタル放送を受信するとともに前記チャンネル周波数の選局を行い、前記受信されたデジタル放送のデータに含まれるコンテンツ識別子が前記属性情報のコンテンツ識別子と一致する場合、前記データの更新を行うことを特徴とする請求項１記載のデジタル放送受信方法。
【請求項３】
前記記録したデータを表示又は再生するステップを更に具え、前記記録したデータを表示又は再生する際に前記データの更新を行わなかった場合、前記データの更新を行わなかったことを報知することを特徴とする請求項１記載のデジタル放送受信方法。
【請求項４】
バッテリーの残量を検出し、前記バッテリーの残量がしきい値未満の場合、前記データの更新を中止することを特徴とする請求項１記載のデジタル放送受信方法。
【請求項５】
前記記録したデータを表示又は再生するステップを更に具え、前記記録したデータを表示又は再生する際に、前記記録したデータの有効期限切れを検出し、該有効期限が切れたことを報知することを特徴とする請求項１記載のデジタル放送受信方法。
【請求項６】
デジタル放送の放送電波を受信する受信手段と、
前記デジタル放送のデータを記録する記録手段と、
記録したデータに含まれる情報に基づいて、該記録したデータの更新情報を生成する更新情報生成手段と、
該更新情報に基づいて、前記データの更新を行う更新手段とを具えることを特徴とするデジタル放送受信装置。
【請求項７】
前記更新情報が、更新スケジュールと属性情報とをＩＤで関連付けた情報とし、前記属性情報が、コンテンツ識別子及びチャンネル周波数を有し、前記更新手段は、前記更新スケジュールに基づいて前記受信手段を起動するとともに前記チャンネル周波数の選局を行い、前記受信手段によって受信されたデジタル放送のデータに含まれるコンテンツ識別子が前記属性情報のコンテンツ識別子と一致する場合、前記データの更新を行うことを特徴とする請求項６記載のデジタル放送受信装置。
【請求項８】
前記記録したデータを表示又は再生する表示又は再生手段を更に具え、該表示又は再生手段が、前記記録したデータを表示又は再生する際に前記データの更新を行わなかった場合、前記データの更新を行わなかったことを報知することを特徴とする請求項６記載のデジタル放送受信装置。
【請求項９】
前記デジタル放送受信装置のバッテリーの残量を検出する検出手段を具え、前記更新手段は、前記バッテリーの残量がしきい値未満の場合、前記データの更新を中止することを特徴とする請求項６記載のデジタル放送受信装置。
【請求項１０】
前記記録したデータを表示又は再生する表示又は再生手段と、記録したデータの有効期限を検出する期限検出手段とを更に具え、前記表示又は再生手段が、前記期限検出手段が記録したデータを表示又は再生する際に、前記期限検出手段が、前記記録したデータの有効期限切れを検出すると、該有効期限切れを報知することを特徴とする請求項６記載のデジタル放送受信装置。
【発明の詳細な説明】
【技術分野】
【０００１】
本発明は、デジタル放送の放送電波を受信するデジタル放送受信方法及び装置に関する。
【背景技術】
【０００２】
このようなデジタル放送受信装置でデジタル放送の記録を行なう場合、映像と音声データは放送波から受信するＴＳ（Ｔｒａｎｓｐｏｒｔ  Ｓｔｒｅａｍ）を変換せずにそのまま記録する方式以外に、ＭＰＥＧ−４  ＶｉｄｅｏやＨ．２６４、ＡＡＣなどの様々な映像や音声コーデックを使用して変換、記録する方法がある。
【０００３】
しかしながら、データ放送の場合、割り込み事象と呼ばれるイベントがあり、そのイベントを受信した時間やイベントの種類、そのターゲットによって画面表現が動的に変わることがある。またウェブブラウザで操作するように、ユーザによる操作で画面の切り替わりが発生することがある。そのためデータ放送を記録しておくためにＴＳ形式で保存したり、表示画面のイメージのままキャプチャを行なう方法がある。
【０００４】
また、ＢＭＬ（Ｂｒｏａｄｃａｓｔ  Ｍａｒｋｕｐ  Ｌａｎｇｕａｇｅ）ファイルをＨＴＭＬ（Ｈｙｐｅｒ  Ｔｅｘｔ  Ｍａｒｋｕｐ  Ｌａｎｇｕａｇｅ）ファイルに効率よく変換する方法が提案されている（例えば、特許文献１）。この場合、インターネットサイトでデータ放送と同等のサービスを提供することを目的としており、この方法を用いてＢＭＬデータをＨＴＭＬデータに変換して記録しておけば、イベントを処理することは出来ないが、ユーザ操作による画面遷移を再現することが可能である。
【特許文献１】特開２００３−８５０３３号公報
【発明の開示】
【発明が解決しようとする課題】
【０００５】
記録したデータ自体は、時間が経過するたびに古くなる、すなわち、ユーザが、記録したデータを必要としなくなり、新しいデータを取得し、同一種類のデータの更新を行いたい場合がある。この更新を頻繁に行う必要がある場合、ユーザは操作がわずらわしいという課題がある。例えば、朝にニュースなどをキャプチャしておいた場合に、次の日の朝に新しく情報を取得するためにアプリケーションを起動して選局、キャプチャを操作、指示する必要がある。すなわち、上記特許文献１では、データの更新を行うためには、チューナを手動で起動する必要があり、起動も不定期になり、ユーザにとって煩雑であり、消費電力が増大する。
【０００６】
本発明の目的は、ユーザにとって煩雑でなく、かつ、消費電力を抑制することができるデジタル放送受信方法及び装置を提供することである。
【課題を解決するための手段】
【０００７】
本発明によるデジタル放送受信方法は、
デジタル放送の放送電波を受信する受信ステップと、
前記デジタル放送のデータを記録する記録ステップと、
記録したデータに含まれる情報に基づいて、該記録したデータの更新情報を生成する更新情報生成ステップと、
該更新情報に基づいて、前記データの更新を行う更新ステップとを具えることを特徴とする。
【０００８】
本発明によるデジタル放送受信装置は、
デジタル放送の放送電波を受信する受信手段と、
前記デジタル放送のデータを記録する記録手段と、
記録したデータに含まれる情報に基づいて、該記録したデータの更新情報を生成する更新情報生成手段と、
該更新情報に基づいて、前記データの更新を行う更新手段とを具えることを特徴とする。
【発明の効果】
【０００９】
本発明によれば、デジタル放送の放送電波を受信し、デジタル放送のデータを記録し、記録したデータに含まれる情報に基づいて、記録したデータの更新情報を生成し、更新情報に基づいて、データの更新を行う。このように更新情報に基づいてデータの更新を行っているので、データの更新を行うためにチューナを手動で起動する必要がない。その結果、デジタル放送を受信する際に、ユーザにとって煩雑でなくなり、かつ、消費電力を抑制することができる。
【発明を実施するための最良の形態】
【００１０】
本発明によるデジタル放送受信方法及び装置の実施の形態を、図面を参照しながら詳細に説明する。
図１は、本発明によるデジタル放送受信装置の実施の形態を示す図である。本実施の形態において、図１に示すデジタル放送受信装置は、携帯電話として実現され、バッテリー駆動される。図１に示すデジタル放送受信装置は、チューナ１と、ＤＥＭＵＸ部２と、ＢＭＬブラウザ３と、表示部４と、ウェブブラウザ５と、通信インターフェイス部６と、記録保存部７と、ＢＭＬデータ保存部８と、属性情報保存部９と、再生制御部１０と、更新制御部１１と、更新情報保存部１２と、バッテリー残量検出部１３とを具える。
【００１１】
チューナ１は、デジタル放送の放送電波を受信する。ＤＥＭＵＸ部２は、放送電波から復調して得られたＴＳから映像データ、音声データ、データ放送データ及びＰＳＩ/ＳＩ情報を分離する。ＢＭＬブラウザ３は、ＤＥＭＵＸ部２から抽出されたデータ放送のＢＭＬデータを解析する。表示部４は、ＢＭＬブラウザ３によって表示が行われ、ディスプレイ、スピーカ、バイブレーション、ＬＥＤ（発光ダイオード）等によって実現される。ウェブブラウザ５は、ＢＭＬデータに含まれるハイパーリンクを使ってインターネット等の通信ネットワークから情報を取得する。通信インターフェイス部６は、通信ネットワークにアクセスする。
【００１２】
記録保存部７は、ユーザ操作で指示されたＢＭＬデータの記録保存を制御する。ＢＭＬデータ保存部８は、ＢＭＬデータを保持する。属性情報保存部９は、記録保存部７にて記録する際にＤＥＭＵＸ部２から得られたＰＳＩ／ＳＩ情報から抽出した情報を元に属性情報を保持する。再生制御部１０は、記録保存部７からＢＭＬデータ及び属性情報を読み出して、データの一覧表示を指示し、ＢＭＬブラウザ３にＢＭＬデータの再生を指示する。更新制御部１１は、記録保存部７から読み出した属性情報を元に番組の放送の更新スケジュールと頻度情報を取得し、ＢＭＬデータの更新を指示する。更新情報保存部１２は、更新制御部１１にて指示するための更新情報を保持する。バッテリー残量検出部１３は、バッテリーの残量を検出し、バッテリーの残量がしきい値以上であるか否かを判断する。
【００１３】
本実施の形態の動作を説明する。
図２は、本実施の形態のメインフローを示す図である。この場合、ユーザが、データ放送を含む放送の視聴を開始（指示）し（ステップＳ１）、放送を再生した（ステップＳ２）後に、ユーザが記録を指示したか否かを判断する（ステップＳ３）。ユーザが記録を指示した場合、記録処理を行い（ステップＳ４）、ユーザが記録を指示しない場合、ステップＳ２に戻る。
【００１４】
図３は、メインフロー中の記録処理のフローを示す図である。この場合、先ず、ＤＥＭＵＸ部２が、チューナ１によって受信したＴＳからＢＭＬデータを分離し、このＢＭＬデータを、記録保存部７を通してＢＭＬデータ保存部８に記録する（ステップＳ１１）。ＢＭＬデータの構成はＡＲＩＢ（社団法人：電波産業会）によって規定されたＢＭＬに従う。
【００１５】
ＢＭＬデータを記録する際には、番組名、放送局、チャンネル番号、コンテンツ識別子（この場合、ｓｅｒｖｉｃｅ＿ｉｄ及びｅｖｅｎｔ＿ｉｄ）、有効期限（ｅｘｐｉｒｅ記述子）等が、ＢＭＬデータの属性情報として属性情報保存部９に記録される（ステップＳ１２）。図４は、ＢＭＬデータの構成の一例を示す図である。属性情報としては、図５に示すように一つのＢＭＬデータに対応して記録されており、上記ＢＭＬデータ及びＩＤと関連付けられる。このＢＭＬデータを記録する代わりに、ＢＭＬデータをＨＴＭＬデータに変換しておくと、ウェブブラウザ５だけでハイパーリンクへのジャンプ操作が可能になり、処理負荷が低くなる。
【００１６】
その後、ＢＭＬデータ及び属性情報を記録した後にそのデータを更新するか否かどうかをユーザに問う（ステップＳ１３）。データを更新する場合、更新予約処理を行ない（ステップＳ１４）、データを更新しない場合、記録処理を終了する。なお、記録しようとするデータが以前記録されたことのある更新対象の記録データである場合、上書き又は履歴として更新ごとにキャッシュしておく。
【００１７】
図６は、更新予約処理のフローを示す図である。この場合、更新制御部１１は、放送ＴＳに含まれるシリーズ記述子にあるｐｒｏｇｒａｍ＿ｐａｔｔｅｒｎ（編成パターン）を使って頻度（例えば、週に１回、月に１回、毎日）及び次回更新日時をチェックし、更新日時及び頻度情報などからなる更新スケジュールと属性情報とをＩＤで関連付けて更新情報を構成し（ステップＳ２１）、この更新情報を更新情報保存部１２にて記録する（ステップＳ２２）。更新日時や頻度などの更新スケジュールは、ユーザに指定させてもよい。更新情報の一例を図７に示す。
【００１８】
図８は、再生処理のフローを示す図である。この場合、先ず、属性情報保存部９から属性情報を取り出し、表示部４によって記録データ一覧を表示する（ステップＳ３１）。記録データ一覧は、図９に示すように、放送局や番組名のような属性情報の項目をキーとしてグループ化されて表示される。その後、ユーザが、再生したいデータ（コンテンツ）を、キー操作等によって記録データ一覧から選択し、記録データの属性情報を読み出す（ステップＳ３２）。その後、読み出された属性情報の有効期限をチェックする、すなわち、ユーザによって選択されたデータが有効期限切れであるか否か判断する（ステップＳ３３）。有効期限切れである場合、その旨を表示部４に表示してユーザに報知し（ステップＳ３４）、表示部４にコンテンツを表示する（ステップＳ３５）。なお、記録処理にて上書きせずに履歴をキャッシュしてある場合は最新データを表示するように誘導する。期限切れでない場合、コンテンツをそのまま表示させる（ステップＳ３５）。なお、有効期限切れを音などにより報知してもよい。
【００１９】
図１０は、更新処理のフローを示す図である。この場合、デジタル放送受信装置が待機状態に入り（ステップＳ４１）、現在が更新情報に含まれる日時になったか否か、すなわち、現在が予約日時になったか否か判断する。現在が予約日時になった場合、バッテリー残量検出部１３は、バッテリーの残量を検出し、バッテリーの残量がしきい値以上であるか否かを判断する（ステップＳ４２）。それに対して、現在が予約日時になっていない場合、ステップＳ４１に戻る。
【００２０】
バッテリーの残量がしきい値以上である場合、チューナ電源をＯＮにし（ステップＳ４４）、対象となる属性情報を属性情報保存部９から取り出し、属性情報に含まれるチャンネル番号に選局し、ＴＳデータを受信する（ステップＳ４５）。それに対して、バッテリーの残量がしきい値未満である場合、ステップＳ４１に戻る。ステップＳ４５の終了後、記録保存部７がＤＥＭＵＸ部２を通してＢＭＬデータを受信可能であるか否か判断する（ステップＳ４６）。
【００２１】
ＢＭＬデータを受信可能である場合、ｓｅｒｖｉｃｅ＿ｉｄやｅｖｅｎｔ＿ｉｄのようなコンテンツ識別子をＤＥＭＵＸ部２から取得する（ステップＳ４７）。それに対して、ＢＭＬデータを受信可能でない場合、ステップＳ４１に戻る。ステップＳ４７の後、更新制御部１１は、コンテンツ識別子が属性情報の値と一致しているか否か、すなわち、ｓｅｒｖｉｃｅ＿ｉｄとｅｖｅｎｔ＿ｉｄが属性情報のｓｅｒｖｉｃｅ＿ｉｄとｅｖｅｎｔ＿ｉｄと共に一致するか否か判断する（ステップＳ４８）。コンテンツ識別子が属性情報の値と一致している場合、上記記録処理すなわち更新を行い（ステップＳ４９）、チューナ電源をＯＦＦにし（ステップＳ５０）、ステップＳ４１に戻る。それに対して、コンテンツ識別子が属性情報の値と一致していない場合、更新を行わなかった旨を表示部４によって表示し（ステップＳ５１）、ステップＳ４１に戻る。
【００２２】
本実施の形態によれば、記録した情報の更新は放送に含まれる情報を元に行なわれ、定期的にチェックする必要がなく、そのたびに手動でチューナの電源をＯＮ／ＯＦＦせずにすむため、消費電流を少なく抑えることができる。また、記録した情報に有効期限を付与することで、ユーザに情報の鮮度を報知でき、更新時に指定した番組が放送されていない場合には、延期になったのか、中止になったのか、放送エリアが異なるのかを判断して無駄な記録を防ぐ。さらに、データ放送をＴＳ形式や画面イメージよりもサイズを小さく記録でき、記録した情報を更新したいデータと更新しなくてよいデータを分けて記録でき、また更新したいデータは最新のものに更新させることができる。
【００２３】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。
例えば、上記実施の形態において、デジタル放送受信装置を携帯電話によって実現した場合について説明したが、本発明によるデジタル放送受信装置を、携帯電話以外の任意のバッテリー駆動タイプのデジタル放送受信装置（例えば、ノート型パーソナルコンピュータ）で実現することができる。
また、バッテリー残量に応じて更新頻度を変更することができ、例えば、バッテリー残量が少ない場合は更新頻度を下げ、バッテリー満充電時は更新頻度を上げることもできる。
【図面の簡単な説明】
【００２４】
【図１】本発明によるデジタル放送受信装置の実施の形態を示す図である。
【図２】本実施の形態のメインフローを示す図である。
【図３】メインフロー中の記録処理のフローを示す図である。
【図４】ＢＭＬデータの構成の一例を示す図である。
【図５】属性情報の一例を示す図である。
【図６】更新予約処理のフローを示す図である。
【図７】更新情報の一例を示す図である。
【図８】再生処理のフローを示す図である。
【図９】記録データ一覧の一例を示す図である。
【図１０】更新処理のフローを示す図である。
【符号の説明】
【００２５】
１  チューナ
２  ＤＥＭＵＸ部
３  ＢＭＬブラウザ
４  表示部
５  ウェブブラウザ
６  通信インターフェイス部
７  記録保存部
８  ＢＭＬデータ保存部
９  属性情報保存部
１０  再生制御部
１１  更新制御部
１２  更新情報保存部
１３  バッテリー残量検出部
【図１】
2007202007.tif 000003
【図２】
2007202007.tif 000004
【図３】
2007202007.tif 000005
【図４】
2007202007.tif 000006
【図５】
2007202007.tif 000007
【図６】
2007202007.tif 000008
【図７】
2007202007.tif 000009
【図８】
2007202007.tif 000010
【図９】
2007202007.tif 000011
【図１０】
2007202007.tif 000012